(57)【要約】【課題】ソファー等の座部と背もたれ部との隙間に入り込んだ塵埃や、被清掃面に絡み付いた塵埃を効率よく除塵する電気掃除機用吸込具を提供すること。【解決手段】吸込具本体２１と、吸込具本体２１に設けられ下方開口の吸込室２５と、吸込具本体２１の外郭に設けた補助吸込口体３０とを備え、補助吸込口体３０は、前方下部にベロ状突出部２９を有し、ベロ状突出部２９の底面部と被清掃面との間には隙間３１を設けたことにより、ベロ状突出部２９をソファー等の座部と背もたれ部の間の隙間に押し込むことで、座部と背もたれ部との間に入り込んだ塵埃に対し、隙間３１を通じて集塵気流が塵埃にまで届き、塵埃を吸込室２５まで導く集塵作用が生まれ、塵埃を効率よく集塵することができる。【選択図】図６
2012235867.tif 000002
【特許請求の範囲】
【請求項１】
吸込具本体と、前記吸込具本体に設けられ下方開口の吸込室と、前記吸込具本体の外郭に設けた補助吸込口体と、を備え、前記補助吸込口体は、前方下部にベロ状突出部を有し、前記ベロ状突出部の底面部と被清掃面との間には隙間を設けたことを特徴とする電気掃除機用吸込具。
【請求項２】
前記補助吸込口体のベロ状突出部の形状は、後方から前方に向けて高さが低くなるよう構成した請求項１に記載の電気掃除機用吸込具。
【請求項３】
前記ベロ状突出部の底面部と被清掃面との隙間は、前記ベロ状突出部の後方から前方に向けて広くなるよう構成した請求項２に記載の電気掃除機用吸込具。
【請求項４】
前記吸込具本体の前方下部に前記吸込室と連通する吸気口を備え、前記吸込具本体に前記補助吸込口体を有した状態において、前記ベロ状突出部の底面部と被清掃面との隙間からの外気を前記吸気口に導く空間部を、前記ベロ状突出部の底面部に構成した請求項３に記載の電気掃除機用吸込具。
【請求項５】
前記ベロ状突出部の底面部には、ブラシ体を設けた請求項３または４に記載の電気掃除機用吸込具。
【請求項６】
前記補助吸込口体は、前記吸込具本体の外郭に、係止部と被係止部との係脱により着脱自在に設けた請求項１〜５のいずれか１項に記載の電気掃除機用吸込具。
【請求項７】
前記ベロ状突出部の上面部には、複数の突起部を設けた請求項１〜６のいずれか１項に記載の電気掃除機用吸込具。
【請求項８】
前記ベロ状突出部の表層部の少なくとも一部は、軟質部材で形成した請求項１〜７のいずれか１項に記載の電気掃除機用吸込具。
【請求項９】
前記吸込具本体後方に設けられ吸込気流で回転するタービンと、前記吸込室内に回転自在に設置され前記タービンと連動し回転する回転ブラシとを備えたことを特徴とする請求項１〜８のいずれか１項に記載の電気掃除機用吸込具。
【発明の詳細な説明】
【技術分野】
【０００１】
本発明は、一般家庭で使用される電気掃除機用吸込具に関するものである。
【背景技術】
【０００２】
従来のこの種の電気掃除機用吸込具は、部屋の隅や壁近傍の塵埃の集塵力を高めたものがある。（例えば、特許文献１参照）。
【０００３】
図１２は、特許文献１に記載された従来の電気掃除機用吸口体を示すものである。図１２に示すように、電動送風機で発生させた吸引気流を利用して被掃除面の清掃を行う吸口体１を備えた電気掃除機において、前記吸口体１の底面に吸口体１の前側と吸口体１の底面開口部とを連通させる複数の凹状流路２を設け、前記各凹状流路２の幅略中央に、刷毛３を設ける構成とし、この構成により、部屋の隅でも吸口体１の前方から空気を取り入れることができ、吸口体１の底面の凹状流路２に設けた刷毛３の掻き上げ作用と気流の流体力によって、部屋の隅の塵埃を効率よく集塵できるものである。
【先行技術文献】
【特許文献】
【０００４】
【特許文献１】特開２０００−２３８８５号公報
【発明の概要】
【発明が解決しようとする課題】
【０００５】
しかしながら、前記従来の構成では、ソファー等の座部と背もたれ部の間に入り込んだ塵埃に対し、吸込具の前方から取り入れる空気の吸引作用だけでは、集塵できないという課題を有していた。
【０００６】
本発明は、前記従来の課題を解決するもので、ソファー等の座部と背もたれ部の間に入り込んだ塵埃に対しても効率よく集塵できる電気掃除機用吸込具を提供することを目的とする。
【課題を解決するための手段】
【０００７】
前記従来の課題を解決するために、本発明の電気掃除機用吸込具は、吸込具本体と、前記吸込具本体に設けられ下方開口の吸込室と、前記吸込具本体の外郭に設けた補助吸込口体と、を備え、前記補助吸込口体は、前方下部にベロ状突出部を有し、前記ベロ状突出部の底面部と被清掃面との間には隙間を設けた構成としたものである。
【０００８】
前記構成によれば、前記ベロ状突出部をソファー等の座部と背もたれ部の間の隙間に押し込むことで、座部と背もたれ部との間に入り込んだ塵埃に対し、前記隙間を通じて集塵気流が塵埃にまで届き、塵埃を吸込室まで導く集塵作用が生まれ、塵埃を効率よく集塵することができる。
【０００９】
前記電気掃除機用吸込具においては、前記補助吸込口体のベロ状突出部の形状は、後方から前方に向けて高さが低くなるよう構成すればよい。
【００１０】
前記構成によれば、前記ベロ状突出部をソファー等の座部と背もたれ部の間の隙間に押し込む際に、先端の高さ方向の厚みが小さく挿入し易くすることができ、かつベロ状突出部を奥に挿入するにつれ隙間が広がり、奥に堆積した塵埃を集塵することができる。
【００１１】
前記電気掃除機用吸込具においては、前記ベロ状突出部の底面部と被清掃面との隙間は、前記ベロ状突出部の後方から前方に向けて広くなるよう構成すればよい。
【００１２】
前記構成によれば、前記ベロ状突出部の底面部は、後方から前方に向けて被清掃面に対し、上方に反り返る傾斜面を有することとなる。そして、この上方へ反った傾斜面により、前記ベロ状突出部をソファー等の座部と背もたれ部の間の隙間に押し込んで塵埃を吸引する際に、座部と背もたれ部の間の隙間を上方に広げ、ベロ状突出部の底面部に隙間を作り、この隙間を通じて集塵気流が塵埃にまで届き易くする作用が生まれ、塵埃を効率よく集塵することができる。
【００１３】
前記電気掃除機用吸込具においては、前記吸込具本体の前方下部に前記吸込室と連通する吸気口を備え、前記吸込具本体に前記補助吸込口体を有した状態において、前記ベロ状突出部の底面部と被清掃面との隙間からの外気を前記吸気口に導く空間部を、前記ベロ状突出部の底面部に構成にすればよい。
【００１４】
前記構成によれば、前記空間部を通じて集塵気流が、座部と背もたれ部との間に入り込んだ塵埃に対し均一に作用するようになると共に、前記吸気口が前記空間部内の塵埃を吸込室まで強力に導く集塵作用が生まれ、塵埃を効率よく集塵することができる。
【００１５】
前記電気掃除機用吸込具においては、前記ベロ状突出部の底面部には、ブラシ体を設けた構成にすればよい。
【００１６】
前記構成によれば、吸込具本体に設けた補助吸込口体のベロ状突出部の底面部を被清掃面に押し付けた状態で、吸込具本体を前後操作させることで、例えば被清掃面である絨毯上に絡み付いた糸屑や髪の毛、ペット動物の毛等の塵埃を、底面部の前方に設けたブラシ体で掻き上げて剥離させることができる。
【００１７】
前記電気掃除機用吸込具においては、前記補助吸込口体は、前記吸込具本体の外郭に、係止部と被係止部との係脱により着脱自在に設けた構成にすればよい。
【００１８】
前記構成によれば、吸込具本体と補助吸込口体とは着脱自在に分離できるため、掃除の各用途に応じて使い別けることができる。例えば補助吸込口体を装着した際には隙間に入り込んだ塵埃や、絨毯等の被清掃面に絡み付いた塵埃用として用いることができ、一方、吸込具を標準的な掃除用途として使用し不用な場合は簡単に取り外すことができる。また、吸込具本体と補助吸込口体とは着脱自在のため、用途の異なる吸込具を別々に持ち運ぶような手間を要さないメリットがある。
【００１９】
前記電気掃除機用吸込具においては、前記ベロ状突出部の上面部には、複数の突起部を設けた構成にすればよい。
【００２０】
前記構成によれば、この複数の突起部は、吸込具本体から補助吸込口体を足を用いて離脱させる際の滑り止めとして機能するものである。具体的に説明すると、被清掃面に吸込具本体を接地させ、足でこの複数の突起部上を足で押さえた状態で、吸込具本体に接続された延長管を横に捻ることで、係止部から被係止部が外れ、補助吸込口体が吸込具本体から外すことができる。
【００２１】
前記電気掃除機用吸込具においては、前記ベロ状突出部の表層部の少なくとも一部は、軟質部材で形成した構成にすればよい。
【００２２】
前記構成によれば、ベロ状突出部をソファー等の座部と背もたれ部の間に挿入したりす
る際において、ソファー等の表面の傷付き防止を図ることができる。また、ベロ状突出部の上面部に設けた複数の突起部をこの軟質部材で形成することにより、上述の足を用いて離脱させる際の滑り止めとして機能に対し、軟質部材の弾性による摩擦効果が加わり、さらに高めることができる。
【００２３】
前記電気掃除機用吸込具においては、前記吸込具本体後方に設けられ吸込気流で回転するタービンと、前記吸込室内に回転自在に設置され前記タービンと連動し回転する回転ブラシとを備えたに構成にすればよい。
【００２４】
前記構成によれば、タービンを駆動させて回転ブラシを回転させることで、被清掃面の塵埃をかき揚げて吸塵し、かつ上述の補助吸込口体により隙間に入り込んだ塵埃を吸塵することが可能となる。つまり１つの吸込具で多用途に対応できるマルチな吸込具としての機能を有することができる。
【発明の効果】
【００２５】
本発明の電気掃除機用吸込具は、吸込具の前方から取り入れる空気の吸引作用だけでは集塵できないソファー等の座部と背もたれ部の間に入り込んだ塵埃に対しても効率よく集塵することができる。
【図面の簡単な説明】
【００２６】
【図１】本発明の実施の形態１における電気掃除機用吸込具を装備した縦型電気掃除機を正面側方から示す斜視図
【図２】同、電気掃除機用吸込具を装備した縦型電気掃除機を背面側方から示す斜視図
【図３】本発明の実施の形態１、４における電気掃除機用吸込具を上方から示す斜視図
【図４】本発明の実施の形態１、２における電気掃除機用吸込具を下方から示す斜視図
【図５】本発明の実施の形態１における電気掃除機用吸込具の上本体部を外して、内部構成を上方から示す平面図
【図６】同、電気掃除機用吸込具を示す側面図
【図７】本発明の実施の形態１、３における電気掃除機用吸込具を示す正面図
【図８】本発明の実施の形態１、２における電気掃除機用吸込具の内部構成を側方から示す断面図
【図９】図３に示す電気掃除機用吸込具において、補助吸込口体のベロ状突出部をソファーの隙間に挿入して使用する状態を示す側面図
【図１０】本発明の実施の形態３における電気掃除機用吸込具の吸込具本体を上方から示す斜視図
【図１１】本発明の実施の形態３、４における電気掃除機用吸込具の補助吸込口体を上方から示す斜視図
【図１２】従来の電気掃除機の吸口体を上方から示す透視図
【発明を実施するための形態】
【００２７】
以下、本発明の好ましい実施の形態を、図面を参照しながら説明する。なお、以下では全ての図を通じて同一又は相当する要素には同一の参照符号を付して、その重複する説明を省略する。また、この実施の形態によって本発明が限定されるものではない。
【００２８】
（実施の形態１）
以下、本発明の第１の実施の形態を、図１〜図９を用いて説明する。図１および図２において、４は掃除機本体で、集塵室５及びファンモータ（図示せず）を内蔵している。掃
除機本体４の下部には、床面のゴミ等を吸い込む吸い込み口６を有した床ノズル本体７が接続されおり、床ノズル本体７には、回転ブラシ（図示せず）が内蔵され、回転ブラシはベルト（図示せず）を介して駆動モーター（図示せず）によって回転させられているものである。
【００２９】
また、掃除機本体４の後部上面には、パイプ８が設けられ、前記パイプ８の上方にはハンドル９が配設されている。掃除機本体４は、床ノズル本体７との接続部近傍である回動軸１０を起点として、床ノズル本体７と、掃除機本体４が倒伏方向へ回動自在に設けられている。
【００３０】
集塵室５の側面部には、集塵室５と連通し回転自在に設けられた回転エルボ１１が接続され、その一端には、伸縮自在のホース１２が接続され、さらに、ホース１２の一端には、連結パイプ１３が設けられ、この連結パイプ１３が、床ノズル本体７内の吸い込み口６に連通した吸気パイプ１４に着脱自在に接続される。
【００３１】
なお、この連結パイプ１３は、延長管１５にも着脱自在に接続されるものである。
【００３２】
ホース１２は、掃除機本体４の側面及び天面を通り、その天面に設けたガイド部１６によって保持され、また、延長管１５は、掃除機本体４の側面に設けた延長管保持部１７にはめ込まれ、着脱自在に固定されている。
【００３３】
また、掃除機本体４の背面には溝１８が設けられ、アタッチメントとしてのタナノズル１９が、掃除機本体４の前記溝１８に収納保持されており、また、掃除機本体４の正面のガイド部１６には、隙間掃除とじゅうたん用のアタッチメントとしての電気掃除機用吸込具２０が着脱自在に取り付けられている。
【００３４】
上記構成における動作を説明すると、広い床面の掃除状態では、吸気パイプ１４にホース１２の連結パイプ１３が接続されているので、吸い込み口６から吸引した塵埃を吸気パイプ１４、連結パイプ１３、ホース１２と流し、掃除機本体４内の集塵室５に溜まる。
【００３５】
また、延長管１５を使用する狭い部分を掃除する場合には、連結パイプ１３を吸気パイプ１４より外し、連結パイプ１３の一端に延長管１５を接続し、延長管１５の他端に、アタッチメントとしてのタナノズル１９や電気掃除機用吸込具２０を取り付けて掃除作業が可能となり、掃除場所に適応した掃除方法が得られ、使用性が向上するものである。
【００３６】
次に、図３〜図９を用いて上述したアタッチメントとしての電気掃除機用吸込具２０について説明する。
【００３７】
図３〜図９において、電気掃除機用吸込具２０は、吸込具本体２１とこの吸込具本体２１の前方部に有した補助吸込口体３０とによって構成され、吸込具本体２１は、上本体部２２と下本体部２３および上本体部２２と下本体部２３に挟持され上下に回動自在に設けた接続パイプ２４から形成されている。
【００３８】
吸込具本体２１には、前部に下方開口の吸込室２５と、後部にタービン２６が形成され、吸込室２５内に回転自在に設置され前記タービン２６と連動し回転する回転ブラシ２７が設けられている。回転ブラシ２７は、ブラシ毛２８がその外周に螺旋状に植毛されている。また、接続パイプ２４は吸込室２５と連通し、掃除機の連結パイプ１３や延長管１５と接続されるようになっている。
【００３９】
吸込具本体２１の外郭には、前方下部にベロ状突出部２９を有した補助吸込口体３０が
設けられ、前記補助吸込口体３０のベロ状突出部２９の形状は、後方から前方に向けて高さが低くなるように形成している。さらに、このベロ状突出部２９の底面部と被清掃面との間には隙間３１が設けられており、この隙間３１が前記ベロ状突出部２９の後方から前方に向けて広くなるよう、ベロ状突出部２９の底面部には傾斜部３２が形成されており、この傾斜部３２と被清掃面との傾斜角度３３は５度〜５０度の範囲に設定している。
【００４０】
回転ブラシ２７の一方の端部付近には大プーリー３４が構成され、接続パイプ２４の内部にはタービン２６が収容され、接続パイプ２４内部と上本体部２２および下本体部２３で囲まれた空間によって、タービン室３５が構成されている。
【００４１】
タービン室３５内には、回転ブラシ２７を駆動する動力源のタービン２６が設置され、タービン２６の回転中心には圧入固定されたタービン軸３６があり、タービン軸３６のタービン２６と反対側には小プーリー３７が設けられている。また、タービン軸３６はタービン軸受（図示せず）に挿入され回転自在に構成され、タービン軸受はタービン室３５にて上本体部２２と下本体部２３とで挟持されている。
【００４２】
また、上本体部２２の上面には外気と連通する外気導入口３８が前方開放に設けられ、外気導入口３８とタービン室３５とを連通してタービン２６を駆動させる流入風を取り入れる通風流路３９が上本体部２２と下本体部２３との間に設けられている。
【００４３】
また、小プーリー３７は大プーリー３４とベルト４０により張架されており、ベルト４０を介してタービン２６の駆動力を回転ブラシ２７に伝達している。
【００４４】
上記構成による作用は以下の通りである。
吸込具本体２１を被掃除面に置いた状態で、掃除機本体４より吸引風が発生されたとき、接続パイプ２４を介して、吸込具本体２１の吸込室２５に流入風が発生し下本体部２３の下面の開口部には、塵埃を吸引する吸塵風が発生する。
【００４５】
また、外気導入口３８からは通風流路３９を介してタービン２６を駆動する駆動風が発生する。そして、タービン２６が駆動することで、ベルト４０を介して回転ブラシ２７を回転させることで、絨毯上などの塵埃をかき揚げる。
【００４６】
また、吸込具本体２１の外郭には、前方下部にベロ状突出部２９を有した補助吸込口体３０が設けられ、この補助吸込口体３０のベロ状突出部２９の形状は、後方から前方に向けて高さが低くなるように形成し、かつ、この補助吸込口体３０のベロ状突出部２９の底面部と被清掃面との間には隙間３１を設けている。そして、前記ベロ状突出部２９をソファー４７等の座部４７ａと背もたれ部４７ｂの間の隙間に押し込むことで、座部４７ａと背もたれ部４７ｂとの間に入り込んだ塵埃に対し、前記隙間３１を通じて集塵気流が塵埃にまで届き、塵埃を吸込室２５まで導く集塵作用が生まれ、塵埃を効率よく集塵することができる。
【００４７】
また、ベロ状突出部２９の高さ方向の厚みを先端部を小さくし、後方に向かうに従い厚みを大きくすることで、ソファー４７等の座部４７ａと背もたれ部４７ｂの間に挿入し易くなり、かつベロ状突出部２９を奥に挿入するにつれ隙間が広がり、奥に堆積した塵埃を集塵することができる。
【００４８】
またさらに、この隙間３１が前記ベロ状突出部２９の後方から前方に向けて広くなるよう、ベロ状突出部２９の底面部に傾斜部３２を構成したことにより、前記ベロ状突出部２９の底面部は、後方から前方に向けて被清掃面に対し、上方に反り返ることとなる。そして、この上方へ反った傾斜部３２により、前記ベロ状突出部２９をソファー４７等の座部
４７ａと背もたれ部４７ｂの間に挿入した状態におけるベロ状突出部２９の底面部とソファー４７表面との隙間３１の空間を確実に確保することができ、この隙間３１を通じて集塵気流が塵埃にまで届き易くする作用が生まれ、塵埃を効率よく集塵することができる。
【００４９】
そして、この傾斜部３２と被清掃面との傾斜角度３３は５度〜５０度の範囲であれば、上述の座部４７ａと背もたれ部４７ｂの間にベロ状突出部２９を挿入する作業性を損なうこともなく、ベロ状突出部２９の底面部に隙間３１を作り、この隙間３１を通じて集塵気流を塵埃にまで届き易くする作用を確実に発揮することができる。
【００５０】
なお、上記実施の形態１の説明では、電気掃除機用吸込具２０の吸込具本体２１内には、タービン２６とこのタービン２６と連動し回転する回転ブラシ２７とを備えた形態で説明したが、吸込具本体２１内にタービン２６と回転ブラシ２７を備えていない形態の電気掃除機用吸込具においても、上述と同様な効果は得られるものである。
【００５１】
（実施の形態２）
本発明の実施の形態２に係る電気掃除機用吸込具は、基本的には、前記実施の形態１に係る電気掃除機用床吸込具と同様の構成を有しているが、吸込具本体の前方下部に吸込室と連通する吸気口を備えた点と、吸込具本体に補助吸込口体を取り付けた状態において、ベロ状突出部の底面部と被清掃面との隙間からの外気を前記吸気口に導く空間部を前記ベロ状突出部の底面部に構成した点、ベロ状突出部の底面部にブラシ体を設けた点が大きく異なっている。
【００５２】
まず、本実施の形態に係る電気掃除機用吸込具の具体的な構成について、図４、図８、図９を参照して説明する。図４および図８に示すように、本実施の形態に係る電気掃除機用吸込具は、吸込具本体２１の前方下部に吸込室２５と連通する吸気口４１を備え、吸込具本体２１に補助吸込口体３０を取り付けた状態において、ベロ状突出部２９の底面部と被清掃面との隙間３１からの外気を吸気口４１に導く空間部４２を、ベロ状突出部２９の底面部に構成している。
【００５３】
この構成によれば、空間部４２を通じて集塵気流が、ソファー４７等の座部４７ａと背もたれ部４７ｂとの間に入り込んだ塵埃に対し均一に作用するようになると共に、吸気口４１が空間部４２内の塵埃を吸込室２５まで強力に導く集塵作用が生まれ、塵埃を効率よく集塵することができるものである。
【００５４】
また、図４および図８に示すように、ベロ状突出部２９の底面部の前方には、ブラシ体４３が設けてある。この構成によれば、吸込具本体２１に設けた補助吸込口体３０のベロ状突出部２９の底面部を被清掃面に押し付けた状態で、吸込具本体２１前後操作させることで、例えば被清掃面である絨毯上に絡み付いた糸屑や髪の毛、ペット動物の毛等の塵埃を、底面部の前方に設けたブラシ体４３で掻き上げて剥離させることができる。
【００５５】
そして、この剥離した糸や毛状の塵埃は、ベロ状突出部２９の底面部に構成した空間部４２に入り、吸気口４１を介して吸込室２５に吸引され、効率よく集塵することができるものである。
【００５６】
（実施の形態３）
本発明の実施の形態３に係る電気掃除機用吸込具は、基本的には、前記実施の形態１に係る電気掃除機用床吸込具と同様の構成を有しているが、補助吸込口体は、吸込具本体の外郭に、係止部と被係止部との係脱により着脱自在に設けた点、ベロ状突出部の上面部には複数の突起部を設けた点、ベロ状突出部の表層部の少なくとも一部は軟質部材で形成した点が大きく異なっている。
【００５７】
まず、本実施の形態に係る電気掃除機用吸込具の具体的な構成について、図７、図１０、図１１を参照して説明する。図１０および図１１に示すように、吸込具本体２１と補助吸込口体３０とは分離でき、補助吸込口体３０が、吸込具本体２１の外郭に係止部と被係止部との係脱により着脱自在に取り付けられるように構成されている。
【００５８】
図７および図１０に示すように、吸込具本体２１の外郭の両側面には、係止部４４が各々設けられている。そして、この係止部４４の形状は、略鋭角三角形の凸状部とし、前記略鋭角三角形の凸状部の鋭角頂点が、吸込具本体２１の前方に向くように配置されている。
【００５９】
一方、図１１に示すように、補助吸込口体３０の被係止部４５は、前記略鋭角三角形の凸状部と同形状の開口部とし、前記係止部４４である略鋭角三角形の凸状部に、前記被係止部４５である開口部が挿入され、補助吸込口体３０が吸込具本体２１の外郭に着脱自在に取り付けられるように構成されている。
【００６０】
上記構成による作用は以下の通りである。
吸込具本体２１と補助吸込口体３０とは着脱自在に分離できるため、掃除の各用途に応じて使い別けることができる。例えば補助吸込口体３０を装着した際には隙間に入り込んだ塵埃や、絨毯等の被清掃面に絡み付いた塵埃用として用いることができ、一方、吸込具を標準的な掃除用途として使用し不用な場合は簡単に取り外すことができる。また、吸込具本体２１と補助吸込口体３０とは着脱自在のため、用途の異なる吸込具を別々に持ち運ぶような手間を要さないメリットがある。
【００６１】
また、係止部４４である前記略鋭角三角形の凸状部の鋭角頂点が、吸込具本体２１の前方に向くように配置されているため、補助吸込口体３０を広げて吸込具本体２１の前方方向から装着する際には、三角形の鋭角を成す２辺の傾斜が凸状部に同形状の開口部がはまり込む際の誘いになり、装着し易くすることができる。
【００６２】
（実施の形態４）
本発明の実施の形態４に係る電気掃除機用吸込具は、基本的には、前記実施の形態１に係る電気掃除機用床吸込具と同様の構成を有しているが、ベロ状突出部の上面部には複数の突起部を設けた点、ベロ状突出部の表層部の少なくとも一部は軟質部材で形成した点が大きく異なっている。
【００６３】
まず、本実施の形態に係る電気掃除機用吸込具の具体的な構成について、図３、図９、図１１を参照して説明する。図３および図１１に示すように、ベロ状突出部２９の上面部には、複数の突起部４６を設けている。この複数の突起部４６は、吸込具本体２１から補助吸込口体３０を足を用いて離脱させる際の滑り止めとして機能するものである。具体的に説明すると、被清掃面に吸込具本体２１を接地させ、足でこの複数の突起部４６上を足で押さえた状態で、吸込具本体２１に接続された延長管１５を横に捻ることで、係止部４４から被係止部４５が外れ、補助吸込口体３０が吸込具本体２１から外れるものである。
【００６４】
次にベロ状突出部２９の表層部分は、軟質部材で形成している。これにより、ベロ状突出部２９をソファー４７等の座部４７ａと背もたれ部４７ｂの間に挿入したりする際において、ソファー４７等の表面の傷付き防止を図ることができる。
【００６５】
また、ベロ状突出部２９の上面部に設けた複数の突起部４６を軟質部材で形成することにより、上述の足を用いて離脱させる際の滑り止めとして機能に対し、軟質部材の弾性による摩擦効果が加わり、さらに高めることができる。
【産業上の利用可能性】
【００６６】
本発明にかかる電気掃除機用吸込具は、隙間に入り込んだ塵埃や、絨毯等の被清掃面に絡み付いた塵埃を効率よく除塵したい場合であれば、家庭用、業務用を問わず、また、キャニスター型、アップライト型を問わず、さまざまな種類の電気掃除機の分野に好適に用いることができる。
【符号の説明】
【００６７】
１  吸口体
２  凹状流路
３  刷毛
４  掃除機本体
５  集塵室
６  吸い込み口
７  床ノズル本体
８  パイプ
９  ハンドル
１０  回動軸
１１  回転エルボ
１２  ホース
１３  連結パイプ
１４  吸気パイプ
１５  延長管
１６  ガイド部
１７  延長管保持部
１８  溝
１９  タナノズル
２０  電気掃除機用吸込具
２１  吸込具本体
２２  上本体部
２３  下本体部
２４  接続パイプ
２５  吸込室
２６  タービン
２７  回転ブラシ
２８  ブラシ毛
２９  ベロ状突出部
３０  補助吸込口体
３１  隙間
３２  傾斜部
３３  傾斜角度
３４  大プーリー
３５  タービン室
３６  タービン軸
３７  小プーリー
３８  外気導入口
３９  通風流路
４０  ベルト
４１  吸気口
４２  空間部
４３  ブラシ体
４４  係止部
４５  被係止部
４６  突起部
４７  ソファー
４７ａ  座部
４７ｂ  背もたれ部
【図１２】
2012235867.tif 000003
【図１】
2012235867.tif 000004
【図２】
2012235867.tif 000005
【図３】
2012235867.tif 000006
【図４】
2012235867.tif 000007
【図５】
2012235867.tif 000008
【図６】
2012235867.tif 000009
【図７】
2012235867.tif 000010
【図８】
2012235867.tif 000011
【図９】
2012235867.tif 000012
【図１０】
2012235867.tif 000013
【図１１】
2012235867.tif 000014